(57)【要約】      （修正有）【課題】電気信号の刺激によって、通常トレーニングだけでなく、スロートレーニングも行うことができ、これによって利便性を向上させることができる筋肉トレーニング装置及び電気信号の出力方法を提供すること。【解決手段】筋肉に電気信号を印加することにより、電気刺激による筋肉トレーニングを行うための筋肉トレーニング装置であって、通常用パルス信号発生手段とスロー用パルス信号発生手段と切り換え手段とを備えるＣＰＵ３６と、操作手段４５と、導子６と、を備え、前記スロー用パルス信号発生手段は、３秒以上連続したパルス列信号を所定の時間間隔を空けて５回以上出力することを特徴とする。【選択図】図２
2008035954.tif 000002
【特許請求の範囲】
【請求項１】
筋肉に電気信号を印加することにより、電気刺激による筋肉トレーニングを行うための筋肉トレーニング装置であって、
筋肉の緊張と緩和を所定の時間繰り返すことによる通常トレーニングに利用される通常用パルス信号を発生させる通常用パルス信号発生手段と、
筋肉の緊張を前記所定の時間にわたって保持することによるスロートレーニングに利用されるスロー用パルス信号を発生させるスロー用パルス信号発生手段と、
前記通常用パルス信号発生手段又は前記スロー用パルス信号発生手段の駆動を選択的に切り換える切り換え手段と、
前記切り換え手段に切り換え指示信号を入力する操作手段と、
前記通常用パルス信号発生手段で発生した通常用パルス信号、及び、前記スロー用パルス信号発生手段で発生したスロー用パルス信号を前記筋肉に供給するための導子と、
を備え、
前記スロー用パルス信号発生手段は、
３秒以上連続したパルス列信号を所定の時間間隔を空けて５回以上出力することを特徴とする筋肉トレーニング装置。
【請求項２】
前記スロー用パルス信号は、
オン期間（Ｔｏｎ）がオフ期間（Ｔｏｆｆ）よりも長く４０Ｈｚ以上の周波数に設定され、
前記スロー用パルス信号発生手段は、
前記スロー用パルス信号を３秒以上出力した後、前記出力した時間よりも短い時間、前記スロー用パルス信号の出力を停止し、
前記出力と前記停止とを１セットとして、前記１セットを５回以上１０回以下の範囲で繰り返すことを特徴とする筋肉トレーニング装置。
【請求項３】
前記スロー用パルス信号発生手段は、
前記出力の開始から３秒以内の開始時間内では、電流値の大きな大パルス信号を出力させ、
前記開始時間を経過後、前記大パルス信号よりも小さな電流値の小パルス信号を出力させることを特徴とする請求項１又は請求項２に記載の筋肉トレーニング装置。
【請求項４】
前記スロー用パルス信号発生手段による前記スロー用パルス信号の所定の回数の出力が終了した後、前記通常用パルス信号発生手段から通常用パルス信号を出力することを特徴とする請求項１から請求項３のいずれか一項に記載の筋肉トレーニング装置。
【請求項５】
筋肉に電気信号を印加することにより、電気刺激による筋肉トレーニングを行うための筋肉トレーニング装置における前記電気信号の出力方法であって、
筋肉の緊張を所定の時間にわたって保持することによるスロートレーニングに利用されるスロー用パルス信号を発生させるスロー用パルス信号発生ステップと、
前記スロー用パルス信号発生ステップで発生した前記スロー用パルス信号を導子を介して前記筋肉に供給する供給ステップと、
を含み、
前記スロー用パルス信号発生ステップにおいて、
３秒以上連続したパルス列信号を所定の時間間隔を空けて５回以上出力することを特徴とする電気信号の出力方法。
【発明の詳細な説明】
【技術分野】
【０００１】
本発明は、電気信号の刺激による筋肉トレーニングを行うための筋肉トレーニング装置に関する。
【背景技術】
【０００２】
従来より、電気信号の刺激により筋肉を伸縮運動させる筋肉トレーニング装置が知られている（例えば、特許文献１参照。）。
これら筋肉トレーニング装置によれば、筋肉の緊張と緩和を所定の時間繰り返すことにより筋肉トレーニングが行われる。このような従来の筋肉トレーニングを通常トレーニングというものとする。
【０００３】
ここで、今日ではスロートレーニングという筋肉トレーニングが知られてきている。スロートレーニングとは、所定の時間、筋肉の緊張と緩和を繰り返すのではなく、その所定の時間にわたって筋肉の緊張を保持することによって行う筋肉トレーニングである。例えば、スクワットなどの屈伸運動では、中腰の状態を数秒にわたって保持し、又は、腹筋運動では、上半身を下半身に対して９０°から１８０°の間に配した状態を保持するようにすればよい。
【０００４】
このようなスロートレーニングが、有効な筋肉トレーニングとなるのは、以下の理由による。
すなわち、筋肉が緊張した状態を長時間保つことにより、血管が筋肉に圧迫されて血流が悪くなる。すると、血流が悪いので、疲労物質が大量に溜まる。これは、激しい運動をした後のように、あたかも筋肉組織が多数壊れた状態と同じとなる。そのため、脳は、筋肉組織が多数壊れたと思い込み、それら筋肉組織を再生するために、成長ホルモンの分泌を促す。
そして、それら大量に分泌された成長ホルモンによって筋組織が増加することになる。
【０００５】
ところで、従来の通常トレーニングと同様に、スロートレーニングにも、電気信号の刺激により筋肉トレーニングを行うことができれば便利である。
【特許文献１】特開２００１−３３３９９０号公報
【発明の開示】
【発明が解決しようとする課題】
【０００６】
しかしながら、従来の筋肉トレーニング装置では、スロートレーニングを行うことができないという問題がある。すなわち、従来の筋肉トレーニング装置においては、血行改善が目的の一つであり、スロートレーニングのように一時的に血行を阻害するものとは相反してしまう。
【０００７】
本発明は、このような事情に鑑みてなされたものであって、電気信号の刺激によって、通常トレーニングだけでなく、スロートレーニングも行うことができ、これによって利便性を向上させることができる筋肉トレーニング装置及び電気信号の出力方法を提供することを目的とする。
【課題を解決するための手段】
【０００８】
上記課題を解決するために、本発明は以下の手段を提供する。
本発明に係る筋肉トレーニング装置は、筋肉に電気信号を印加することにより、電気刺激による筋肉トレーニングを行うための筋肉トレーニング装置であって、筋肉の緊張と緩和を所定の時間繰り返すことによる通常トレーニングに利用される通常用パルス信号を発生させる通常用パルス信号発生手段と、筋肉の緊張を前記所定の時間にわたって保持することによるスロートレーニングに利用されるスロー用パルス信号を発生させるスロー用パルス信号発生手段と、前記通常用パルス信号発生手段又は前記スロー用パルス信号発生手段の駆動を選択的に切り換える切り換え手段と、前記切り換え手段に切り換え指示信号を入力する操作手段と、前記通常用パルス信号発生手段で発生した通常用パルス信号、及び、前記スロー用パルス信号発生手段で発生したスロー用パルス信号を前記筋肉に供給するための導子と、を備え、前記スロー用パルス信号発生手段は、３秒以上連続したパルス列信号を所定の時間間隔を空けて５回以上出力することを特徴とする。
【０００９】
この発明に係る筋肉トレーニング装置においては、通常用パルス信号発生手段から通常用パルス信号が出力され、スロートレーニング用パルス信号発生手段からスロー用パルス信号が出力される。そして、操作手段によって切り換え手段に切り換え指示信号が入力されると、切り換え手段によって通常用パルス信号発生手段及びスロートレーニング用パルス信号発生手段の駆動が、選択的に切り換えられる。さらに、通常用パルス信号発生手段又はスロートレーニング用パルス信号発生手段から出力された通常用パルス信号又はスロー用パルス信号が導子を介して筋肉に供給される。
スロー用パルス信号は、３秒以上連続したパルス列信号を所定の時間間隔を空けて５回以上出力される。
これにより、一つの装置で、通常トレーニングだけでなく、スロートレーニングも行うことができ、利便性を向上させることができる。
【００１０】
本発明に係る筋肉トレーニング装置は、前記スロー用パルス信号が、オン期間（Ｔｏｎ）がオフ期間（Ｔｏｆｆ）よりも長く４０Ｈｚ以上の周波数に設定され、前記スロー用パルス信号発生手段は、前記スロー用パルス信号を３秒以上出力した後、前記出力した時間よりも短い時間、前記スロー用パルス信号の出力を停止し、前記出力と前記停止とを１セットとして、前記１セットを５回以上１０回以下の範囲で繰り返すことを特徴とする。
【００１１】
この発明に係る筋肉トレーニング装置において、スロー用パルス信号は、オン期間（Ｔｏｎ）がオフ期間（Ｔｏｆｆ）よりも長く４０Ｈｚ以上の周波数に設定され、前記出力と前記停止とが１セットとして、５回以上１０回以下の範囲で繰り返される。
これにより、簡単かつ確実にスロートレーニングを行うことができる。
【００１２】
また、本発明に係る筋肉トレーニング装置は、前記スロー用パルス信号発生手段が、前記出力の開始から３秒以内の開始時間内では、電流値の大きな大パルス信号を出力させ、前記開始時間を経過後、前記大パルス信号よりも小さな電流値の小パルス信号を出力させることを特徴とする。
【００１３】
この発明に係る筋肉トレーニング装置においては、開始時間内では、大パルス信号が出力され、開始時間経過後は、小パルス信号が出力される。
ここで、筋肉を緊張させる場合、最初の緊張のときには大きなエネルギーが必要であるが、一旦緊張させてしまうと、それ以降は少ないエネルギーで緊張させることができる。
この発明によれば、大きなエネルギーが必要な最初の緊張のときに大パルス信号が出力され、それ以降の少ないエネルギーで済むときに小パルス信号が出力されることから、消費電力を抑制し、効率よく確実にスロートレーニングを行うことができる。
【００１４】
また、本発明に係る筋肉トレーニング装置は、前記スロー用パルス信号発生手段による前記スロー用パルス信号の所定の回数の出力が終了した後、前記通常用パルス信号発生手段から通常用パルス信号を出力することを特徴とする。
【００１５】
この発明に係る筋肉トレーニング装置においては、スロー用パルス信号発生手段による前記スロー用パルス信号の所定の回数の出力が終了した後、通常用パルス信号発生手段から通常用パルス信号が出力される。
ここで、スロートレーニングの後、通常トレーニングを行うと、スロートレーニングによって分泌された成長ホルモンの働きによって、筋肉トレーニング効果や、脂肪を効果的に燃焼させることによるダイエット効果が向上する。
この発明によれば、スロートレーニングから通常トレーニングへと移行することができることから、切り換え操作を行うことなく、スロートレーニングと通常トレーニングとを連続的に行うことができる。
【００１６】
また、本発明に係る電気信号の出力方法は、筋肉に電気信号を印加することにより、電気刺激による筋肉トレーニングを行うための筋肉トレーニング装置における前記電気信号の出力方法であって、筋肉の緊張を所定の時間にわたって保持することによるスロートレーニングに利用されるスロー用パルス信号を発生させるスロー用パルス信号発生ステップと、前記スロー用パルス信号発生ステップで発生した前記スロー用パルス信号を導子を介して前記筋肉に供給する供給ステップと、を含み、前記スロー用パルス信号発生ステップにおいて、３秒以上連続したパルス列信号を所定の時間間隔を空けて５回以上出力することを特徴とする。
【００１７】
この発明に係る筋肉トレーニング装置においては、スロー用パルス信号発生ステップにおいて、スロー用パルス信号が発生し、供給ステップにおいて、そのスロー用パルス信号が導子を介して筋肉に供給される。スロー用パルス信号は、３秒以上連続したパルス列信号を所定の時間間隔を空けて５回以上出力される。
これにより、電気信号によって電気刺激によるスロートレーニングを行うことができる。
【発明の効果】
【００１８】
本発明によれば、電気信号の刺激によって、通常トレーニングだけでなく、スロートレーニングも行うことができ、これによって利便性を向上させることができる。
【発明を実施するための最良の形態】
【００１９】
（実施形態１）
以下、本発明の第１の実施形態における筋肉トレーニング装置について、図面を参照して説明する。
図１は、本発明の第１の実施形態としての筋肉トレーニング装置を示したものである。
筋肉トレーニング装置１は、直方体形状の筐体２と、人体に貼り付けられて筋肉に電気信号を供給する一対の導子６とを備えている。そして、一対の導子６は、ケーブル７を介して筐体２に着脱可能に取り付けられるようになっている。なお、本実施形態において、導子６は複数用意されており、第一チャンネル及び第二チャンネルとして、２組の導子６が同時に筐体２に取り付けられるようになっている。
【００２０】
また、筐体２の前面には、液晶表示パネル３が設けられている。液晶表示パネル３には、トレーニングモードを示すモード表示８と、第一チャンネルの導子６から出力される電流の値を示す第一出力電流値１１と、第二チャンネルの導子６から出力される電流の値を示す第二出力電流値１２とが表示されるようになっている。モード表示８には、後述する定常パルス列信号（ＴＥＮＳ）、パルス列信号（ＥＭＳ）、バーストマイクロパルス列信号（ＢＳＴ）、マイクロ電流信号（ＭＣＲ）及びスロートレーニング信号の別が表示される。
【００２１】
さらに、液晶表示パネル３には、導子６から出力される電気信号の周波数の値を示す周波数値１５と、パルス幅の値を示すパルス幅値１６と、トレーニング時間１７とが表示される。
また、筐体２の前面には、電源のオンオフや各種設定値のアップダウンやモード選択・切り換えのための操作ボタン（操作手段）２０が設けられている。
【００２２】
さらに、筋肉トレーニング装置１は、図２に示すように、各種電気信号を出力する発信回路３５を備えている。
発信回路３５は、演算制御を司る制御部としてのＣＰＵ（Ｃｅｎｔｒａｌ  Ｐｒｏｃｅｓｓｉｎｇ  Ｕｎｉｔ：通常用パルス信号発生手段、スロー用パルス信号発生手段、切り換え手段）３６を備えている。ＣＰＵ３６は、電池やＡＣアダプタなどからなる電源部３７に接続されており、電源部３７から動作用電力が供給される。また、ＣＰＵ３６は、ＬＣＤ駆動回路４１に接続されており、このＬＣＤ駆動回路４１を介して表示器であるＬＣＤ（液晶表示パネル３に相当）４０を駆動する。ＣＰＵ３６及びＬＣＤ駆動回路４１は、リセット端子４４に接続されている。また、ＣＰＵ３６は、キー入力（操作ボタン２０に相当）４５に接続されており、操作ボタン２０を操作することにより、キー入力４５からの各種電気信号がＣＰＵ３６に入力される。
【００２３】
さらに、ＣＰＵ３６は、アンプ４９を介して、導子６に接続されるようになっている。また、ＣＰＵ３６は、パルス列信号テーブルの内容を記憶するＥＥＰＲＯＭ４６に接続されている。
【００２４】
図３は、ＥＥＰＲＯＭ４６に記憶されたデータを示すデータ構成図である。
ＥＥＰＲＯＭ４６には、パルス列信号テーブルとして、第１のパルス信号発生データ２３、第２のパルス信号発生データ２４、第３のパルス信号発生データ２５及び第４のパルス信号発生データ２６が記憶されている。ＣＰＵ３６は、必要に応じて、それら第１から第４のパルス信号発生データ２３，２４，２５，２６を読み出し（アクセスし）て、それらデータに基づいて所定の電気信号を生成し、出力する。
【００２５】
第１のパルス信号発生データ２３は、図４に示す定常パルス列信号（ＴＥＮＳ）を発生させるためのデータである。定常パルス列信号（ＴＥＮＳ）は、正負の出力電圧、パルス幅及びパルス周波数をパラメータとする。出力電圧Ｖｐは、例えば０〜１００Ｖの範囲で設定できる。パルス幅ＰＷは、例えば１〜１０００μ秒の範囲で設定できる。パルス周波数ｆは、例えば１Ｈｚ〜数ｋＨｚの範囲で設定できる。出力電流は導子６の負荷抵抗に対応する範囲となる。
【００２６】
第２のパルス信号発生データ２４は、図５に示すパルス信号（ＥＭＳ）を発生させるためのデータである。パルス信号（ＥＭＳ）は、パルス列信号の振幅を正負の所定出力電圧まで上昇させる第１の過程と、この正負の所定出力電圧を維持する第２の過程と、このパルス列信号の振幅を正負の所定出力電圧から下降させる第３の過程を含んでいる。これにより、一連のパルス信号（ＥＭＳ）によって人体の適用部位に対するウォームアップ、クールダウン、筋肉塊、最大力、瞬発力、抵抗力、耐久力、筋肉の活性化、又は筋肉の引き締め等が容易に行える。
なお、好ましくは、第３の過程に続いて休止過程を有する構成とすると良い。ここで、第１の過程は出力電圧Ｖｐの振幅を上昇時間（Ｒａｍｐ ｕｐ Ｔｉｍｅ）内にゼロから第２の過程の維持振幅電圧まで上昇させる。第２の過程は出力電圧Ｖｐの振幅を一定値に所定時間維持する。第３の過程は出力電圧Ｖｐの振幅を下降時間（Ｒａｍｐ ｄｏｗｎ Ｔｉｍｅ）内に第２の過程の維持振幅電圧からゼロまで下降させる。休止過程（Ｏｆｆ Ｔｉｍｅ）を設けることで、筋肉を休ませても良い。
【００２７】
第３のパルス信号発生データ２５は、図６に示すバーストマイクロパルス列信号（ＢＳＴ）を発生させるためのデータである。バーストマイクロパルス列信号（ＢＳＴ）は、正負の出力電圧、パルス幅、パルス周波数並びにバースト周波数をパラメータとする。
【００２８】
第４のパルス信号発生データ２６は、図７に示すマイクロ電流信号（ＭＣＲ）を発生させるためのデータである。マイクロ電流信号（ＭＣＲ）は、正負の出力電圧、パルス幅及びパルス周波数をパラメータとする。マイクロ電流信号ＭＣＲは正出力電圧パルスからゼロ電圧を経て負出力電圧パルスに移行する点で、定常パルス列信号ＴＥＮＳのように正出力電圧パルスから直接負出力電圧パルスに移行するパルス波形と相違している。
【００２９】
なお、ＣＰＵ３６及び第１から第４のパルス信号発生データ２３，２４，２５，２６は、通常用パルス信号発生手段として機能するものであり、定常パルス列信号（ＴＥＮＳ）、パルス信号（ＥＭＳ）、バーストマイクロパルス列信号（ＢＳＴ）及びマイクロ電流信号（ＭＣＲ）は、通常用パルス信号となる。
【００３０】
また、パルス列信号として、顧客の使用目的に応じた定常パルス列信号（ＴＥＮＳ）とパルス列信号（ＥＭＳ）との組合せデータなども記録されている。例えば、図８及び図９に示すように、運動の種類と使用目的との組み合わせなどが登録される。運動の種類には、モトクロス、サッカー、アルペンスキー、クロスカントリースキー、ランニング、バレーボール、バッスケットボール、ラグビー、マウンテンバイク、トライアスロン等がある。使用目的には、ウォームアップ、毛細血管充填、筋肉塊、最大力、瞬発力、抵抗力、耐久力、活動的回復、筋肉再収縮、背部痛、膝蓋骨軟骨炎、足関節炎、腰痛、菱形靭帯疼痛、くるぶしの捻挫、疼痛治療、筋肉の引き締めがある。運動の種類により使用目的が異なるため、パルス列信号テーブルには〇印を付した代表的なものが登録されている。
【００３１】
さらに、ＥＥＰＲＯＭ４６には、パルス列信号テーブルとして、スロー用パルス発生データ３２が記憶されている。
スロー用パルス信号発生データ３２は、図１０に示すように、スロートレーニングに利用されるスロー用パルス信号を発生させるためのデータである。スロー用パルス信号の周波数は４０Ｈｚに設定されている。また、スロー用パルス信号のオン期間（Ｔｏｎ）は、オフ期間（Ｔｏｆｆ）よりも長く設定されている。
スロートレーニングモードが選択されると、ＣＰＵ３６は、スロー用パルス信号発生データ３２を読み出し、そのデータに基づいてスロー用パルス信号を生成する。そして、ＣＰＵ３６は、スロー用パルス信号を３秒間（所定の時間）出力した後、１秒間出力を停止する。そして、ＣＰＵ３６は、３秒の出力と１秒の停止とを合わせて４秒で１セットとし、この１セットを、１０回繰り返す。
なお、ＣＰＵ３６及びスロー用パルス発生データ３２は、スロー用パルス信号発生手段として機能するものである。
【００３２】
次に、このように構成された本実施形態における筋肉トレーニング装置１の作用について説明する。
まず、トレーニングを行いたい筋肉の近傍に導子６を貼り付ける。そして、操作ボタン２０を押して、トレーニングモードを選択する。すなわち、操作ボタン２０によって、通常トレーニングモードか、スロートレーニングモードかを選択する。なお、通常トレーニングモードには、ＴＥＮＳモード、ＥＭＳモード、ＢＳＴモード及びＭＣＲモードの４つのモードがある。そのため、筋肉トレーニング装置１には、ＴＥＮＳモード、ＥＭＳモード、ＢＳＴモード及びＭＣＲモードの４つのモードと、スロートレーニングモードとの合計５つのトレーニングモードが択一的に選択可能である。そして、操作ボタン２０を操作することにより、それら５つのモードが択一的に切り換えられる。
【００３３】
さて、ＴＥＮＳモード、ＥＭＳモード、ＢＳＴモード及びＭＣＲモード（通常トレーニングモード）のいずれか一つが選択されると、キー入力４５からの出力がＣＰＵ３６に入力される。すると、ＣＰＵ３６は、ＬＣＤ駆動回路４１を介して、対応するモードを液晶表示パネル３のモード表示８に表示する。さらにＣＰＵ３６は、選択されたモードに対応する第１から第４のパルス信号発生データ２３，２４，２５，２６を読み出す。例えば、ＴＥＮＳモードが選択されると、第１のパルス信号発生データ２３を読み出しし、またＥＭＳモードが選択されると、第２のパルス信号発生データ２４を読み出す。そして、ＣＰＵ３６は、それらデータに基づいて、定常パルス列信号（ＴＥＮＳ）、パルス信号（ＥＭＳ）、バーストマイクロパルス列信号（ＢＳＴ）又はマイクロ電流信号（ＭＣＲ）を生成し、出力する。
【００３４】
これら信号の電流値、周波数及びパルス幅値が、液晶表示パネル３の第一出力電流値１１、第二出力電流値１２、周波数値１５及びパルス幅値１６として表示される。また、各トレーニングモードのトレーニング時間が設定されると、そのトレーニング時間が液晶表示パネル３のトレーニング時間１７として表示される。
【００３５】
ＣＰＵ３６から出力された定常パルス列信号（ＴＥＮＳ）、パルス信号（ＥＭＳ）、バーストマイクロパルス列信号（ＢＳＴ）又はマイクロ電流信号（ＭＣＲ）は、アンプ４９によって増幅されて導子６を介して筋肉に供給され、所定の時間、筋肉の緊張と収縮が繰り返され、通常トレーニングが行われる。
【００３６】
また、操作ボタン２０によって、スロートレーニングモードが選択されると、キー入力４５からの出力がＣＰＵ３６に入力される。すると、ＣＰＵ３６は、スロートレーニングモードを液晶表示パネル３のモード表示８に表示する。そして、ＣＰＵ３６は、スロー用パルス信号発生データ３２を読み出し、そのデータに基づいて、電流値１０ｍＡから２０ｍＡのスロー用パルス信号を生成する。そして、ＣＰＵ３６は、スロー用パルス信号を３秒間出力し、１秒間出力を停止する。これにより、３秒という通常トレーニングよりも長い時間、筋肉が緊張し、上述のようなスロートレーニングが行われる。
そして、ＣＰＵ３６は、３秒間の出力と１秒間の停止とを１セット（４秒間）として、１０回（４０秒間）連続的に繰り返す。
【００３７】
なお、トレーニングの最中、出力の強度を変更したいときは、操作ボタン２０を操作することにより、ＣＰＵ３６が、第１から第４のパルス信号発生データ２３，２４，２５，２６又はスロー用パルス信号発生データ３２を読み出し、出力する電圧又は電流値を適宜（リアルタイムに）変更する。また、トレーニングの最中、出力を停止したいときは、操作ボタン２０を操作することにより、ＣＰＵ３６が、各パルス信号の出力を停止する。
【００３８】
以上より、本実施形態における筋肉トレーニング装置１によれば、ＣＰＵ３６がスロー用パルスを出力することから、通常トレーニングだけでなく、スロートレーニングも行うことができる。そのため、一つの装置で、２種類のトレーニングを行うことができ、利便性を向上させることができる。
また、スロー用パルス信号のオン期間（Ｔｏｎ）がオフ期間（Ｔｏｆｆ）よりも長く、その周波数が４０Ｈｚに設定されており、このスロー用パルス信号が３秒間出力されることから、確実にスロートレーニングを行うことができる。
【００３９】
（実施形態２）
次に、本発明の第２の実施形態について説明する。
この実施形態と上記第１の実施形態とは基本的構成は同一であり、ここでは異なる点についてのみ説明する。
【００４０】
図１１は、本発明の第２の実施形態におけるスロー用パルスの波形を示したものである。
本実施形態において、ＣＰＵ３６は、スロー用パルス信号発生データ３２を読み出し、このデータに基づいて、スロー用パルス信号を出力する出力開始から最初の２秒間（開始時間）、電流値の大きな大パルス信号を生成、出力し、２秒経過後に、大パルス信号よりも小さな小パルス信号を生成、出力する。例えば、大パルス信号は２０ｍＡに設定され、小パルス信号は１０ｍＡに設定される。
【００４１】
ここで、筋肉を緊張させる場合、最初の緊張のときには大きなエネルギーが必要であるが、一旦緊張させてしまうと、それ以降は少ないエネルギーで緊張させることができる。
本実施形態においては、ＣＰＵ３６は、大きなエネルギーが必要な最初の緊張のときに大パルス信号を発生させ、それ以降の少ないエネルギーで済むときに小パルス信号を発生させることから、消費電力を抑制し、効率よく確実にスロートレーニングを行うことができる。
【００４２】
なお、本実施形態においては、開始時間を２秒としたが、これに限ることはなく、３秒以内であれば適宜変更可能である。
また、大パルス信号の電流値を２０ｍＡとし、小パルス信号の電流値を１０ｍＡとしたが、これに限ることはなく、それら値は適宜変更可能である。
【００４３】
（実施形態３）
次に、本発明の第３の実施形態について説明する。
この実施形態と上記第１の実施形態とは基本的構成は同一であり、ここでは異なる点についてのみ説明する。
【００４４】
図１２は、本発明の第３の実施形態におけるスロー用パルスの波形及び通常トレーニングに利用される波形を示したものである。
本実施形態においては、上記５つのモードに加えて、スロートレーニングモードと、通常トレーニングモードの４つのうちのいずれかとを組み合わせた組み合わせトレーニングモードを択一的に選択することができるようになっている。
【００４５】
組み合わせトレーニングモードが選択されて、ＣＰＵ３６によるスロー用パルス信号の出力と停止のセットが１０回終了すると、ＣＰＵ３６は、直ちに、選択されたモードに対応する第１から第４のパルス信号発生データ２３，２４，２５，２６を読み出し、各パルス信号を生成、出力する。すなわち、組み合わせトレーニングモードにおいて、ＣＰＵ３６は、スロー用パルス信号と、選択されたモードに対応するパルス信号とを自動的に連続して出力する。
【００４６】
ここで、スロートレーニングの後、通常トレーニングを行うと、スロートレーニングによって分泌された成長ホルモンの働きによって、筋肉トレーニング効果や、脂肪を効果的に燃焼させることによるダイエット効果が向上する。
本実施形態においては、スロートレーニングモードから通常トレーニングモードへと自動的に移行することができることから、切り換え操作を行うことなく、スロートレーニングと通常トレーニングとを連続的に行うことができる。
【００４７】
なお、上記第１から第３の実施形態において、スロー用パルス信号の周波数を４０Ｈｚとしたが、これに限ることはなく、その周波数は適宜変更可能である。特に、３０Ｈｚ以上５０Ｈｚ以下の範囲で設定することが好ましい。
また、ＣＰＵ３６が、スロー用パルス信号発生データ３２からスロー用パルス信号を３秒出力させるとしたが、これに限ることはなく、その時間は適宜変更可能である。特に、
２秒以上１０秒以下の範囲で設定することが好ましい。
さらに、スロー用パルス信号の出力を１秒停止させるとしたが、これに限ることはなく、その時間は出力した時間より短い時間で適宜設定することが好ましい。
【００４８】
また、スロー用パルス信号の出力と停止を１セットとして、１０回繰り返すとしたが、これに限ることはなく、その回数は適宜変更可能である。例えば、５回以上２０回以下の範囲で設定することができる。特に、５回以上１０回以下の範囲で設定することが好ましい。
また、スロートレーニングモードのセット回数を１０回に固定しているが、これに限ることはなく、操作者が自分の好みなどに応じてセット回数を設定することができるようにしてもよい。
なお、本発明の技術範囲は上記の実施形態に限定されるものではなく、本発明の趣旨を逸脱しない範囲において、種々の変更を加えることが可能である。
【図面の簡単な説明】
【００４９】
【図１】本発明に係る筋肉トレーニング装置の第１の実施形態の外観を示す正面図である。
【図２】本実施形態における筋肉トレーニング装置の発振回路を機能ごとに示すブロック図である。
【図３】図２のＥＥＰＲＯＭに記憶されたデータを示すデータ構成図である。
【図４】図３の第１のパルス信号発生データに基づいて生成される定常パルス列信号（ＴＥＮＳ）の波形を示す説明図である。
【図５】図３の第２のパルス信号発生データに基づいて生成されるパルス信号（ＥＭＳ）の波形を示す説明図である。
【図６】図３の第３のパルス信号発生データに基づいて生成されるバーストマイクロパルス列信号（ＢＳＴ）の波形を示す説明図である。
【図７】図３の第４のパルス信号発生データに基づいて生成されるマイクロ電流信号（ＭＣＲ）の波形を示す説明図である。
【図８】図３のパルス列信号テーブルに設定されている運動の種類と使用目的の一例を示す図である。
【図９】図３のパルス列信号テーブルに設定されている運動の種類と使用目的の一例を示す図である。
【図１０】図３のスロー用パルス信号発生データに基づいて生成されるスロー用パルス信号の波形を示す説明図である。
【図１１】本発明に係る筋肉トレーニング装置の第２の実施形態において、スロー用パルス信号発生手段から出力されるスロー用パルス信号の波形を示す説明図である。
【図１２】本発明に係る筋肉トレーニング装置の第３の実施形態において、スロー用パルス信号発生手段から出力されるスロー用パルス信号の波形と、通常トレーニング用の通常用パルス列信号の波形とを示す説明図である。
【符号の説明】
【００５０】
１    筋肉トレーニング装置
６    導子
２０  操作ボタン（操作手段）
２３  第１のパルス信号発生データ（通常用パルス信号発生手段）
２４  第２のパルス信号発生データ（通常用パルス信号発生手段）
２５  第３のパルス信号発生データ（通常用パルス信号発生手段）
２６  第４のパルス信号発生データ（通常用パルス信号発生手段）
３２  スロー用パルス信号発生データ
３６  ＣＰＵ（通常用パルス信号発生手段、スロー用パルス信号発生手段、切り換え手段）
【図１】
2008035954.tif 000003
【図２】
2008035954.tif 000004
【図３】
2008035954.tif 000005
【図４】
2008035954.tif 000006
【図５】
2008035954.tif 000007
【図６】
2008035954.tif 000008
【図７】
2008035954.tif 000009
【図８】
2008035954.tif 000010
【図９】
2008035954.tif 000011
【図１０】
2008035954.tif 000012
【図１１】
2008035954.tif 000013
【図１２】
2008035954.tif 000014